(57)【要約】【課題】  本発明の課題は、冷凍装置の室外機における熱交換能力を著しく低下させることなく、冷凍装置の室外機を高さ方向にコンパクト化することにある。【解決手段】  冷凍装置の室外機３は、第１熱交換部３０ａ、第２熱交換部３０Ｂ，３０Ｃ、および送風部４３を備える。第１熱交換部３０ａは、奥行き方向Ｙに直交する面である第１面に沿って設けられる。第２熱交換部３０Ｂ，３０Ｃは、第１面に交差する面である第２面に沿って設けられ、第１熱交換部３０ａの上部および下部の少なくとも一方から前方Ｙ１に延びる。送風部４３は、第１熱交換部３０ａよりも前方に設けられる。また、この送風部４３は、第１熱交換部３０ａと第２熱交換部３０Ｂ，３０Ｃとに空気を供給するために設けられている。【選択図】      図３
2006084051.tif 000002
【特許請求の範囲】
【請求項１】
奥行き方向（Ｙ）に直交する面である第１面に沿って設けられる第１熱交換部（３０ａ，１３０ａ，２３０ａ，３３０ａ）と、
前記第１面に交差する面である第２面に沿って設けられ、前記第１熱交換部の上部および下部の少なくとも一方から前方（Ｙ１）に延びる第２熱交換部（３０Ｂ，３０Ｃ，１３０Ｂ，１３０Ｃ，２３０Ｂ，３３０Ｃ）と、
前記第１熱交換部よりも前方に設けられる、前記第１熱交換部と前記第２熱交換部とに空気を供給するための送風部（４３）と、
を備える、冷凍装置の室外機（３，３ａ，２０３，３０３）。
【請求項２】
前記第２面は、前方に向かうにつれて上方（Ｚ１）に傾斜する面であり、
前記第２熱交換部は、前記第１熱交換部の上部から前方に向かって延びる、
請求項１に記載の冷凍装置の室外機。
【請求項３】
前記第２面は、前方に向かうにつれて下方（Ｚ２）に傾斜する面であり、
前記第２熱交換部は、前記第１熱交換部の下部から前方に向かって延びる、
請求項１に記載の冷凍装置の室外機。
【請求項４】
前記第２熱交換部は、第２間隔で配列される第２伝熱管を有し、
前記第１熱交換部は、前記第２間隔よりも狭い間隔である第１間隔で配列される第１伝熱管を有する、
請求項１から３のいずれかに記載の冷凍装置の室外機。
【請求項５】
前記第２熱交換部は、前記第２面に沿って設けられる１の第４伝熱管、または前記第２面に沿って設けられ前記第２面に直交する方向に重設される複数の第４伝熱管を有し、
前記第１熱交換部は、前記第１面に沿って設けられ奥行き方向に前記第４伝熱管の重設数よりも多く重設される第３伝熱管を有する、
請求項１から３のいずれかに記載の冷凍装置の室外機。
【請求項６】
前記第２熱交換部は、第４間隔で配置される複数の第２放熱フィンを有し、
前記第１熱交換部は、前記第４間隔よりも狭い間隔である第３間隔で配置される複数の第１放熱フィンを有する、
請求項１から５のいずれかに記載の冷凍装置の室外機。
【請求項７】
前記第２熱交換部は、第４放熱フィンを有し、
前記第１熱交換部は、前記第４放熱フィンよりも熱交換能力が高い放熱フィンである第３放熱フィンを有する、
請求項１から５のいずれかに記載の冷凍装置の室外機。
【請求項８】
前記第２熱交換部は、矩形の本体プレート（８２）と、前記本体プレートの少なくとも片面側に短手方向に開口ができるように切り起こされる切り起こし部（８３）とを有する第５放熱フィン（８０）を有する、
請求項２に記載の冷凍装置の室外機。
【請求項９】
前記第２熱交換部は、平板状の第６放熱フィン（９０）を有する、
請求項３に記載の冷凍装置の室外機。
【請求項１０】
前記第１熱交換部は、前記第２熱交換部よりも単位面積当たりの熱交換能力が高い、
請求項１から３のいずれかに記載の冷凍装置の室外機。
【請求項１１】
前記送風部は、奥行き方向に沿った回転軸を有する軸流ファンロータ（４０）を有し、
前記軸流ファンロータは、前方から見た場合において前記第１熱交換部と前記第２熱交換部とに重なる、
請求項１から１０のいずれかに記載の冷凍装置の室外機。
【請求項１２】
前記送風部は、奥行き方向に沿った回転軸を有する軸流ファンロータ（４０）を有し、
前記軸流ファンロータは、前方から見た場合において前記第１熱交換部に重なるが前記第２熱交換部には重ならない、
請求項１から１０のいずれかに記載の冷凍装置の室外機。
【請求項１３】
前記送風部は、ファンロータ（４０）を有し、
前記第２熱交換部は、前記第１面に平行な面であって前記ファンロータの後端を含む面の近傍まで少なくとも延びている、
請求項１から１０のいずれかに記載の冷凍装置の室外機。
【請求項１４】
幅方向（Ｘ）に直交する面である第３面に沿って設けられる第３熱交換部（３０ｂ）をさらに備える、
請求項１から１３のいずれかに記載の冷凍装置の室外機。
【請求項１５】
前記送風部は、ベルマウス（４５，２４５，３４５）を有し、
前記第２熱交換部は、前記第１面に平行な面であって前記ベルマウスの後端を含む面の近傍まで少なくとも延びている、
請求項１から１４に記載の冷凍装置の室外機。
【請求項１６】
前記第１熱交換部は、前記第２熱交換部と一体として製造されており、
前記第２熱交換部は、前記第１熱交換部に対して曲折している、
請求項１から１５のいずれかに記載の冷凍装置の室外機。
【請求項１７】
前記第１熱交換部は、前記第２熱交換部と別体として製造されている、
請求項１から１５のいずれかに記載の冷凍装置の室外機。
【請求項１８】
開口部（５０ｂ）を有する上面パネル（５０ａ，２５０ａ）をさらに備える、
請求項１から１７のいずれかに記載の冷凍装置の室外機。
【発明の詳細な説明】
【技術分野】
【０００１】
本発明は、冷凍装置の室外機に関する。
【背景技術】
【０００２】
従来、図１０および図１１に示されるような空気調和装置の室外機５０３がある（図１０は室外機５０３の外観斜視図であり、図１１は室外機５０３の内部の様子を表す斜視図である）。このような室外機５０３の構成は、通常、比較的大きな熱交換能力が必要とされる空気調和装置に採用される。このような室外機５０３では、設置スペースの制約や製造上の利便性などから、室外熱交換器５３０の面積が、比較的小さな熱交換能力しか要求されない空気調和装置（以下、低能力空調機という）の室外機の熱交換パネルを高さ方向に延ばすことによって拡大されている。また、低能力空調機の室外機では１台のプロペラファンによって熱交換パネルを通過する空気の風速分布が十分に均一化されているが、この室外機５０３では室外熱交換器５３０が高さ方向に延ばされているため、同じ１台のプロペラファンでは風速分布が十分に均一化されない。このため、この室外機５０３では、上下に２台のプロペラファン５３８ａ，５３８ｂを配置することによってこの風速分布の均一化の問題を解決している（例えば、特許文献１参照）。
【特許文献１】特開２０００−１８６４９号公報（図１等）
【発明の開示】
【発明が解決しようとする課題】
【０００３】
しかし、このように高さ方向に延ばされた室外機５０３はその高さのため設置時の運搬作業性などが悪いという問題があった。
本発明の課題は、冷凍装置の室外機における熱交換能力を著しく低下させることなく、冷凍装置の室外機を高さ方向にコンパクト化することにある。
【課題を解決するための手段】
【０００４】
第１発明に係る冷凍装置の室外機は、第１熱交換部、第２熱交換部、および送風部を備える。第１熱交換部は、奥行き方向に直交する面である第１面に沿って設けられる。第２熱交換部は、第１面に交差する面である第２面に沿って設けられ、第１熱交換部の上部および下部の少なくとも一方から前方に延びる。送風部は、第１熱交換部よりも前方に設けられる。また、この送風部は、第１熱交換部と第２熱交換部とに空気を供給するために設けられている。
【０００５】
この冷凍装置の室外機では、第１熱交換部が、奥行き方向に直交する面である第１面に沿って設けられる。また、第２熱交換部が、第１面に交差する面である第２面に沿って設けられ、第１熱交換部の上部および下部の少なくとも一方から前方に延びる。そして、送風部が、第１熱交換部と第２熱交換部とに空気を供給する。このため、この冷凍装置の室外機では、熱交換器が、従来の室外機に設けられる熱交換器の上の部分および下の部分の少なくとも一方を前方に曲げたような形態を採ることとなる。したがって、この冷凍装置の室外機では、熱交換面積を縮小することなく、高さ方向にコンパクト化することができる。この結果、この冷凍装置の室外機では、熱交換能力を著しく低下させることなく、高さ方向にコンパクト化することができる。
【０００６】
第２発明に係る冷凍装置の室外機は、第１発明に係る冷凍装置の室外機であって、第２面は、前方に向かうにつれて上方に傾斜する面である。また、第２熱交換部は、第１熱交換部の上部から前方に向かって延びる。
この冷凍装置の室外機では、第２面が前方に向かうにつれて上方に傾斜する面であり、第２熱交換部が第１熱交換部の上部から前方に向かって延びる。このため、この冷凍装置の室外機では、前方から見た場合において第１熱交換部と第２熱交換部とが重ならない。したがって、この冷凍装置の室外機では、後面吸込みの場合において第１熱交換部を通過した後の空気が第２熱交換部を通過するという事態を未然に防ぐことができる。この結果、この冷凍装置の室外機では、熱交換能力を著しく低下させることなく、高さ方向にコンパクト化することができる。
【０００７】
第３発明に係る冷凍装置の室外機は、第１発明に係る冷凍装置の室外機であって、第２面は、前方に向かうにつれて下方に傾斜する面である。また、第２熱交換部は、第１熱交換部の下部から前方に向かって延びる。
この冷凍装置の室外機では、第２面が前方に向かうにつれて下方に傾斜する面であり、第２熱交換部が第１熱交換部の下部から前方に向かって延びる。このため、この冷凍装置の室外機では、前方から見た場合において第１熱交換部と第２熱交換部とが重ならない。したがって、この冷凍装置の室外機では、後面吸込みの場合において第１熱交換部を通過した後の空気が第２熱交換部を通過するという事態を未然に防ぐことができる。この結果、この冷凍装置の室外機では、熱交換能力を著しく低下させることなく、高さ方向にコンパクト化することができる。
【０００８】
第４発明に係る冷凍装置の室外機は、第１発明から第３発明のいずれかに係る冷凍装置の室外機であって、第２熱交換部は、第２間隔で配列される第２伝熱管を有する。また、第１熱交換部は、第１間隔で配列される第１伝熱管を有する。そして、第１間隔は、第２間隔よりも狭い。
例えば、第１熱交換部の伝熱管の配列間隔と第２熱交換部の伝熱管の配列間隔とが同じである場合であって送風部が軸流ファンを有しその軸流ファンの回転軸が奥行き方向に沿っており、しかも前方から見たときにファンロータが第１熱交換部にしか重なっていないような場合、第２熱交換部における通風量は、第１熱交換部における通風量よりも必然的に小さくなる。このため、第２熱交換部の熱交換能力は、第１熱交換部の熱交換能力よりも劣ることになる。しかし、この冷凍装置の室外機では、第１間隔が、第２間隔よりも狭い。このため、この冷凍装置の室外機では、第１熱交換部における通風抵抗が大きくなり、第１熱交換部の熱交換能力を向上させることができる。したがって、この冷凍装置の室外機では、第１熱交換部および第２熱交換部を併せた全体の熱交換能力を、従来の室外機の熱交換器の熱交換能力に近づけることができる。また、第１間隔を従来の室外機の熱交換器の伝熱管の配列間隔よりも狭くすれば、従来の室外機の熱交換器よりも熱交換面積を大きくすることも可能である。
【０００９】
第５発明に係る冷凍装置の室外機は、第１発明から第３発明のいずれかに係る冷凍装置の室外機であって、第２熱交換部は、１または複数の第４伝熱管を有する。第４伝熱管は、第２面に沿って設けられる。また、第４伝熱管が複数ある場合、第４伝熱管は、第２面に直交する方向に重設される。また、第１熱交換部は、複数の第３伝熱管を有する。第３伝熱管は、第１面に沿って設けられ、奥行き方向に重設される。そして、第３伝熱管の重設数は、第４伝熱管の重設数よりも多い。
【００１０】
例えば、第１熱交換部の伝熱管の重設数と第２熱交換部の伝熱管の重設数とが同じである場合であって送風部が軸流ファンを有しその軸流ファンの回転軸が奥行き方向に沿っており、しかも前方から見たときにファンロータが第１熱交換部にしか重なっていないような場合、第２熱交換部における通風量は、第１熱交換部における通風量よりも必然的に小さくなる。このため、第２熱交換部の熱交換能力は、第１熱交換部の熱交換能力よりも劣ることになる。しかし、この冷凍装置の室外機では、第３伝熱管の重設数が、第４伝熱管の重設数よりも多い。このため、この冷凍装置の室外機では、第１熱交換部における通風抵抗が大きくなり、第１熱交換部の熱交換能力を向上させることができる。したがって、この冷凍装置の室外機では、第１熱交換部および第２熱交換部を併せた全体の熱交換能力を、従来の室外機の熱交換器の熱交換能力に近づけることができる。また、第１熱交換部の重設数を従来の室外機の熱交換器の伝熱管の重設数よりも多くすれば、従来の室外機の熱交換器よりも熱交換面積を大きくすることも可能である。
【００１１】
第６発明に係る冷凍装置の室外機は、第１発明から第５発明のいずれかに係る冷凍装置の室外機であって、第２熱交換部は、第４間隔で配置される複数の第２放熱フィンを有する。また、第１熱交換部は、第３間隔で配置される複数の第１放熱フィンを有する。そして、第３間隔は、第４間隔よりも狭い。
例えば、第１熱交換部および第２熱交換部において伝熱管の配列間隔および重設数、ならびに第１放熱フィンの配列間隔と第２放熱フィンの配列間隔とが同じである場合であって送風部が軸流ファンを有しその軸流ファンの回転軸が奥行き方向に沿っており、しかも前方から見たときにファンロータが第１熱交換部にしか重なっていないような場合、第２熱交換部における通風量は、第１熱交換部における通風量よりも必然的に小さくなる。このため、第２熱交換部の熱交換能力は、第１熱交換部の熱交換能力よりも劣ることになる。しかし、この冷凍装置の室外機では、第３間隔が、第４間隔よりも狭い。このため、このため、この冷凍装置の室外機では、第１熱交換部における通風抵抗が大きくなり、第１熱交換部の熱交換能力を向上させることができる。したがって、この冷凍装置の室外機では、第１熱交換部および第２熱交換部を併せた全体の熱交換能力を、従来の室外機の熱交換器の熱交換能力に近づけることができる。また、第３間隔を従来の室外機の熱交換器の放熱フィンの配列間隔よりも狭くすれば、従来の室外機の熱交換器よりも熱交換面積を大きくすることも可能である。
【００１２】
第７発明に係る冷凍装置の室外機は、第１発明から第５発明のいずれかに係る冷凍装置の室外機であって、第２熱交換部は、第４放熱フィンを有する。また、第１熱交換部は、第３放熱フィンを有する。第３放熱フィンは、第４放熱フィンよりも熱交換能力が高い。
例えば、第１熱交換部および第２熱交換部において伝熱管の配列間隔および重設数ならびに第１放熱フィンの配列間隔と第２放熱フィンの配列間隔とが同じである場合であって送風部が軸流ファンを有しその軸流ファンの回転軸が奥行き方向に沿っており、しかも前方から見たときにファンロータが第１熱交換部にしか重なっていないような場合、第２熱交換部における通風量は、第１熱交換部における通風量よりも必然的に小さくなる。このため、第２熱交換部の熱交換能力は、第１熱交換部の熱交換能力よりも劣ることになる。しかし、この冷凍装置の室外機では、第３放熱フィンが、第４放熱フィンよりも熱交換能力が高い。このため、この冷凍装置の室外機では、第３放熱フィンの配列間隔と第４放熱フィンの配列間隔とが同じである場合であっても第１熱交換部の熱交換能力が高くなる。したがって、この冷凍装置の室外機では、第１熱交換部および第２熱交換部を併せた全体の熱交換能力を、従来の室外機の熱交換器の熱交換能力に近づけることができる。
【００１３】
第８発明に係る冷凍装置の室外機は、第２発明に係る冷凍装置の室外機であって、第２熱交換部は、第５放熱フィンを有する。第５放熱フィンは、矩形の本体プレートおよび切り起こし部を有する。切り起こし部は、本体プレートの少なくとも片面側に短手方向に開口ができるように切り起こされる。
この冷凍装置の室外機では、第１熱交換部の上部に配置される第２熱交換部に、切り起こし部を有する第５放熱フィンが設けられる。一般に、切り起こし部を有する放熱フィンは、スリットフィンと称され、熱交換部が第１面に対して傾けて配置された場合であっても結露水を真下に落下させることがない。つまり、スリットフィンでは、結露水は、本体プレートの長手方向に沿って下方へ移動する。このため、この冷凍装置の室外機では、第２熱交換部において生じる結露水が送風部等に落下するおそれを抑制することができる。
【００１４】
第９発明に係る冷凍装置の室外機は、第３発明に係る冷凍装置の室外機であって、第２熱交換部は、平板状の第６放熱フィンを有する。
この冷凍装置の室外機では、第１熱交換部の下部に配置される第２熱交換部に第６放熱フィンが設けられる。この冷凍装置の室外機では、第１熱交換部において生じた結露水が第２熱交換部を介してドレンパン等に導かれることになる。このため、この冷凍装置の室外機では、第２熱交換部における通風量が結露水により少なくなるおそれがある。しかし、この冷凍装置の室外機では、第６放熱フィンが、平板状の放熱フィンである。一般に、平板状の放熱フィンは、フラットフィンと称され、種々ある放熱フィンの中でも排水性に優れる。このため、この冷凍装置の室外機では、第２熱交換部における通風量が結露水により低下することをできるだけ抑制することができる。
【００１５】
第１０発明に係る冷凍装置の室外機は、第１発明から第３発明のいずれかに係る冷凍装置の室外機であって、第１熱交換部は、第２熱交換部よりも単位面積当たりの熱交換能力が高い。
例えば、第１熱交換部と第２熱交換部とが同様の形状を有する場合であって送風部が軸流ファンを有しその軸流ファンの回転軸が奥行き方向に沿っており、しかも前方から見たときにファンロータが第１熱交換部にしか重なっていないような場合、第２熱交換部における通風量は、第１熱交換部における通風量よりも必然的に小さくなる。このため、第２熱交換部の熱交換能力は、第１熱交換部の熱交換能力よりも劣ることになる。しかし、この冷凍装置の室外機では、第１熱交換部が、第２熱交換部よりも単位面積当たりの熱交換能力が高い。このため、この冷凍装置の室外機では、第１熱交換部および第２熱交換部を併せた全体の熱交換能力を、従来の室外機の熱交換器の熱交換能力に近づけることができる。
【００１６】
第１１発明に係る冷凍装置の室外機は、第１発明から第１０発明のいずれかに係る冷凍装置の室外機であって、送風部は、軸流ファンロータを有する。この軸流ファンロータは、奥行き方向に沿った回転軸を有する。そして、軸流ファンロータは、前方から見た場合において第１熱交換部と第２熱交換部とに重なる。
この冷凍装置の室外機では、軸流ファンロータが、前方から見た場合において第１熱交換部と第２熱交換部とに重なる。このため、この冷凍装置の室外機では、通風速度が小さくなりがちな第２熱交換部の通風速度を高めることでき、ひいては第２熱交換部の熱交換能力を向上させることができる。
【００１７】
第１２発明に係る冷凍装置の室外機は、第１発明から第１０発明のいずれかに係る冷凍装置の室外機であって、送風部は、軸流ファンロータを有する。この軸流ファンロータは、奥行き方向に沿った回転軸を有する。そして、軸流ファンロータは、前方から見た場合において第１熱交換部に重なるが第２熱交換部には重ならない。
この冷凍装置の室外機では、軸流ファンロータが、前方から見た場合において第１熱交換部に重なるが第２熱交換部には重ならない。このため、この冷凍装置の室外機では、第１熱交換部および第２熱交換部における風速分布を安定させることができる。
【００１８】
第１３発明に係る冷凍装置の室外機は、第１発明から第１０発明のいずれかに係る冷凍装置の室外機であって、送風部は、ファンロータを有する。また、第２熱交換部は、第１面に平行な面であってファンロータの後端を含む面の近傍まで少なくとも延びている。
この冷凍装置の室外機では、第２熱交換部が、第１面に平行な面であってファンロータの後端を含む面の近傍まで少なくとも延びている。このため、この冷凍装置の室外機では、第２熱交換部の熱交換面積を十分に確保することができる。
【００１９】
第１４発明に係る冷凍装置の室外機は、第１発明から第１３発明のいずれかに記載の冷凍装置の室外機であって、第３熱交換部をさらに備える。第３熱交換部は、幅方向に直交する面である第３面に沿って設けられる。なお、第３熱交換部は、第１熱交換部および第２熱交換部の少なくとも一方と一体として製造されていてもよいし、第１熱交換部および第２熱交換部と別体として製造されていてもよい。また、このような第３熱交換部は、通常、前方から見た場合に送風部に重ならないように配置される。
【００２０】
この冷凍装置の室外機では、第３熱交換部が、幅方向に直交する面である第３面に沿って設けられる。このため、この冷凍装置の室外機では、熱交換面積をさらに大きくすることができる。
第１５発明に係る冷凍装置の室外機は、第１発明から第１４発明に係る冷凍装置の室外機であって、送風部は、ベルマウスを有する。また、第２熱交換部は、第１面に平行な面であってベルマウスの後端を含む面の近傍まで少なくとも延びている。
【００２１】
この冷凍装置の室外機では、第２熱交換部が、第１面に平行な面であってベルマウスの後端を含む面の近傍まで少なくとも延びている。このため、この冷凍装置の室外機では、第２熱交換部の熱交換面積を十分に確保することができる。
第１６発明に係る冷凍装置の室外機は、第１発明から第１５発明のいずれかに係る冷凍装置の室外機であって、第１熱交換部は、第２熱交換部と一体として製造されている。そして、第２熱交換部は、第１熱交換部に対して曲折している。
【００２２】
この冷凍装置の室外機では、第１熱交換部が第２熱交換部と一体として製造されており、第２熱交換部が第１熱交換部に対して曲折している。このため、この冷凍装置の室外機では、第２熱交換部が第１熱交換部によって支持されている。したがって、この冷凍装置の室外機では、第２熱交換部の支持部材が不要となり、あるいは支持部材の点数が少なくなり、製造コストがかさむのを防ぐことができる。
【００２３】
第１７発明に係る冷凍装置の室外機は、第１発明から第１５発明のいずれかに係る冷凍装置の室外機であって、第１熱交換部は、第２熱交換部と別体として製造されている。
この冷凍装置の室外機では、第１熱交換部が、第２熱交換部と別体として製造されている。このため、この冷凍装置の室外機では、放熱フィンの取付工程などが複雑化することを防ぐことができる。
【００２４】
第１８発明に係る冷凍装置の室外機は、第１発明から第１７発明のいずれかに係る冷凍装置の室外機であって、上面パネルをさらに備える。上面パネルは、開口部を有する。
この冷凍装置の室外機では、上面パネルが、開口部を有する。このため、この冷凍装置の室外機では、上方からも第２熱交換部に送風することができる。したがって、この冷凍装置の室外機では、第２熱交換部の熱交換能力を向上させることができる。
【発明の効果】
【００２５】
第１発明に係る冷凍装置の室外機では、熱交換面積を縮小することなく、高さ方向にコンパクト化することができる。したがって、この冷凍装置の室外機では、熱交換能力を著しく低下させることなく、高さ方向にコンパクト化することができる。
第２発明に係る冷凍装置の室外機では、後面吸込みの場合において第１熱交換部を通過した後の空気が第２熱交換部を通過するという事態を未然に防ぐことができる。この結果、この冷凍装置の室外機では、熱交換能力を著しく低下させることなく、高さ方向にコンパクト化することができる。
【００２６】
第３発明に係る冷凍装置の室外機では、後面吸込みの場合において第１熱交換部を通過した後の空気が第２熱交換部を通過するという事態を未然に防ぐことができる。この結果、この冷凍装置の室外機では、熱交換能力を著しく低下させることなく、高さ方向にコンパクト化することができる。
第４発明に係る冷凍装置の室外機では、第１熱交換部における通風抵抗が大きくなり、第１熱交換部の熱交換能力を向上させることができる。したがって、この冷凍装置の室外機では、第１熱交換部および第２熱交換部を併せた全体の熱交換能力を、従来の室外機の熱交換器の熱交換能力に近づけることができる。また、第１間隔を従来の室外機の熱交換器の伝熱管の配列間隔よりも狭くすれば、従来の室外機の熱交換器よりも熱交換面積を大きくすることも可能である。
【００２７】
第５発明に係る冷凍装置の室外機では、第１熱交換部における通風抵抗が大きくなり、第１熱交換部の熱交換能力を向上させることができる。したがって、この冷凍装置の室外機では、第１熱交換部および第２熱交換部を併せた全体の熱交換能力を、従来の室外機の熱交換器の熱交換能力に近づけることができる。また、第１熱交換部の重設数を従来の室外機の熱交換器の伝熱管の重設数よりも多くすれば、従来の室外機の熱交換器よりも熱交換面積を大きくすることも可能である。
【００２８】
第６発明に係る冷凍装置の室外機では、第１熱交換部における通風抵抗が大きくなり、第１熱交換部の熱交換能力を向上させることができる。したがって、この冷凍装置の室外機では、第１熱交換部および第２熱交換部を併せた全体の熱交換能力を、従来の室外機の熱交換器の熱交換能力に近づけることができる。また、第３間隔を従来の室外機の熱交換器の伝熱管の配列間隔よりも狭くすれば、従来の室外機の熱交換器よりも熱交換面積を大きくすることも可能である。
【００２９】
第７発明に係る冷凍装置の室外機では、第３放熱フィンの配列間隔と第４放熱フィンの配列間隔とが同じである場合であっても第１熱交換部の熱交換能力が高くなる。したがって、この冷凍装置の室外機では、第１熱交換部および第２熱交換部を併せた全体の熱交換能力を、従来の室外機の熱交換器の熱交換能力に近づけることができる。
第８発明に係る冷凍装置の室外機では、第２熱交換部において生じる結露水が送風部等に落下するおそれを抑制することができる。
【００３０】
第９発明に係る冷凍装置の室外機では、第２熱交換部における通風量が結露水により少なくなることをできるだけ抑制することができる。
第１０発明に係る冷凍装置の室外機では、第１熱交換部および第２熱交換部を併せた全体の熱交換能力を、従来の室外機の熱交換器の熱交換能力に近づけることができる。
第１１発明に係る冷凍装置の室外機では、通風速度が小さくなりがちな第２熱交換部の通風速度を高めることでき、ひいては第２熱交換部の熱交換能力を向上させることができる。
【００３１】
第１２発明に係る冷凍装置の室外機では、第１熱交換部および第２熱交換部における風速分布を安定させることができる。
第１３発明に係る冷凍装置の室外機では、第２熱交換部の熱交換面積を十分に確保することができる。
第１４発明に係る冷凍装置の室外機では、熱交換面積をさらに大きくすることができる。
【００３２】
第１５発明に係る冷凍装置の室外機では、第２熱交換部の熱交換面積を十分に確保することができる。
第１６発明に係る冷凍装置の室外機では、第２熱交換部の支持部材が不要となり、あるいは支持部材の点数が少なくなり、製造コストがかさむのを防ぐことができる。
第１７発明に係る冷凍装置の室外機では、放熱フィンの取付工程などが複雑化することを防ぐことができる。
【００３３】
第１８発明に係る冷凍装置の室外機では、上方からも第２熱交換部に送風することができる。したがって、この冷凍装置の室外機では、第２熱交換部の熱交換能力を向上させることができる。
【発明を実施するための最良の形態】
【００３４】
［空気調和機の全体構成］
図１には、本発明の実施の形態に係る空気調和装置１の外観を示す。
この空気調和装置１は、セパレート型の空気調和装置であり、室内の天井裏に埋設される天井埋設型の室内機２と、室外に設置される室外機３とを備える。
室内機２内には室内熱交換器が収納され、室外機３内には室外熱交換器が収納されており、各熱交換器が冷媒配管４により接続されることにより冷媒回路を構成している。
【００３５】
［空気調和機の冷媒回路の構成概略］
空気調和装置１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
室内機２に設けられている室内熱交換器２０は、接触する空気との間で熱交換を行う。また、室内機２には、室内空気を吸い込んで室内熱交換器２０に通し熱交換が行われた後の空気を室内に排出するための遠心送風機２３が設けられている。遠心送風機２３は、本実施形態において、ターボファンであり、本体ケーシングの天板の中央に設けられたファンモータ２２と、ファンモータ２２に連結されて回転駆動される羽根車２１とを有している。遠心送風機２３は、羽根車２１の内部に室内空気を吸入し、羽根車２１の外周側に吹き出す。
【００３６】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８では、プロペラファンロータ４０がファンモータ３９によって回転駆動される。
【００３７】
［室外機の構成］
ここでは、図３および図４を用いて室外機３の詳細について説明する。図３は、本発明の実施の形態に係る室外機３の内部の様子を表す斜視図である。また、図４は、幅方向に直交する面であってプロペラファン３８の回転軸Ｌを含む面で切った室外機３の断面図である。なお、図３および図４において、Ｘを幅方向、Ｙを奥行き方向、Ｚを高さ方向とし、Ｘ１を右方、Ｘ２を左方、Ｙ１を前方、Ｙ２を後方、Ｚ１を上方、Ｚ２を下方とする。
【００３８】
（１）ケーシング
ケーシング５０は、前面パネル５０ｄ、上面パネル５０ａ、下面パネル５０ｆ、右側面パネル（図示せず）、および左側面パネル（図１参照）から構成される。後面には、パネルは存在せず、室外熱交換器３０の防護ネット５０ｃが設けられているのみである。前面パネル５０ｄには、図１および図４に示されるように、ケーシング５０内の空気をケーシング５０の外部へと排出するための吹出しグリル５０ｅが設けられている。上面パネル５０ａには、図１および図４に示されるように、屋外の空気をケーシング５０内に吸い込むための上面吸込みグリル５０ｂが設けられている。下面パネル５０ｆには、図示しないドレンパン等の部材が配置されている。右側面パネルには、屋外の空気をケーシング５０内に吸い込むための複数の開口が設けられている。
【００３９】
（２）機械室
機械室６０は、図３に示されるように、室外機３の左斜め前方に設けられ、仕切板６２によって区画されている。この機械室６０には、主として、上述した圧縮機３２、四路切換弁３３、アキュムレータ３１、電動膨張弁３４、フィルタ３５、液閉鎖弁３６、および室内機２および室外機３の各種運転を監視制御するための電装品が充填される電装品箱などが収容されている。
【００４０】
（３）室外熱交換器
室外熱交換器３０は、図３および図４に示されるように、中央熱交換パネル３０Ａ、上部熱交換パネル３０Ｂ、および下部熱交換パネル３０Ｃから構成される。
中央熱交換パネル３０Ａは、複数本のヘアピン形状の管を接続して構成される伝熱管７１と、伝熱管７１が挿通される複数の放熱フィンとからなるクロスフィンチューブ型の熱交換器パネルである（なお、伝熱管７１は２列設けられている）。この中央熱交換パネル３０Ａは、一枚の熱交換パネルを、上方から見た場合において略Ｌ字状になるように曲げたものであって、室外機３の後面と右側面とに沿うように配置されている（以下、中央熱交換パネル３０Ａのうち、後面に沿って設けられている部分を後面熱交換部３０ａといい、右側面に沿って設けられている部分を側面熱交換部３０ｂという）。また、この中央熱交換パネル３０Ａは、下面パネル５０ｆとの間に一定の空間が空くように支持棒６１によってかさ上げされている。また、この中央熱交換パネル３０Ａの高さは、図４に示されるように、プロペラファンロータ４０の直径よりも大きくなるように設計されている。また、この中央熱交換パネル３０Ａでは、放熱フィンとして図５（Ａ１）および（Ａ２）に示されるようなルーバ付きフィン７０が採用されている。ルーバ付きフィン７０とは、本体プレート７２の伝熱管７１の挿入口間に図５（Ａ１）および（Ａ２）に示されるようなルーバ形状の切り起こし部７３が設けられているような放熱フィンをいう。
【００４１】
上部熱交換パネル３０Ｂは、略Ｌ字状に曲げられていないこと並びに放熱フィンとして図５（Ｂ１）、（Ｂ２）、および（Ｂ３）に示されるようなスリットフィン８０が採用されていることを除いて、中央熱交換パネル３０Ａと同様の構成を有するクロスフィンチューブ型の熱交換器パネルである。この上部熱交換パネル３０Ｂは、中央熱交換パネル３０Ａの後面熱交換部３０ａの上部から前方Ｙ１に向かうにつれて上方Ｚ１に傾斜するように設けられており、ベルマウス４５の後端まで延びている（図４参照）。なお、この上部熱交換パネル３０Ｂは、図示しない支持部材によって固定されている。また、スリットフィン８０とは、本体プレート８２の伝熱管８１の挿入口間に図５（Ｂ１）、（Ｂ２）、および（Ｂ３）に示されるようなスリット形状の切り起こし部８３が設けられているような放熱フィンをいう。
【００４２】
下部熱交換パネル３０Ｃは、略Ｌ字状に曲げられていないこと並びに放熱フィンとして図５（Ｃ１）および（Ｃ２）に示されるようなフラットフィン９０が採用されていることを除いて、中央熱交換パネル３０Ａと同様の構成を有するクロスフィンチューブ型の熱交換器パネルである。この下部熱交換パネル３０Ｃは、中央熱交換パネル３０Ａの後面熱交換部３０ａの下部から前方Ｙ１に向かうにつれて下方Ｚ２に傾斜するように設けられており、ベルマウス４５の後端まで延びている（図４参照）。なお、この下部熱交換パネル３０Ｃは、図示しない支持部材によって固定されている。また、この下部熱交換パネル３０Ｃは、機械室６０との関係で、幅方向の長さが上部熱交換パネル３０Ｂのそれよりも短くなるように設計されている。また、フラットフィン９０とは、板状の本体プレート９２に伝熱管９１の挿入口が設けられているような放熱フィンをいう。
【００４３】
なお、上部熱交換パネル３０Ｂおよび下部熱交換パネル３０Ｃの取付角度（高さ方向と直交する面と伝熱管８１，９１の配列方向および放熱フィンの配列方向を含む面とがなす角度）θ１，θ２（図４参照）は、熱交換パネル３０Ａ，３０Ｂ、３０Ｃの構成（伝熱管の直管の配列間隔、伝熱管の列数、放熱フィンの種類や配列間隔など）およびプロペラファン３８の送風能力などに基づいて決定される。また、本実施の形態では、上記３つの熱交換パネル３０Ａ，３０Ｂ，３０Ｃは別体として製造されているが、これらの伝熱管は連通するように連結されている。
【００４４】
（４）送風機構
この室外機３には、送風機構４３としてプロペラファン３８とベルマウス４５とが配置されている。
プロペラファン３８は、図３および図４に示されるように、ファンモータ３９、ファンモータ３９から前方Ｙ１に延びる回転シャフト４４、および前記回転シャフト４４に接続されファンモータ３９により回転駆動されるプロペラファンロータ４０を備えている。そして、このプロペラファン３８は、図３および図４から明らかなように、後面熱交換部３０ａの前方に、プロペラファン３８の回転軸が奥行き方向に沿うように、かつ、前方から見た場合においてプロペラファンロータ４０が後面熱交換部３０ａに重なり上部熱交換パネル３０Ｂおよび下部熱交換パネル３０Ｃには重ならないように配置されている。
【００４５】
この送風機構４３では、ファンモータ３９が通電されると、ファンモータ３９が回転シャフト４４を介してプロペラファンロータ４０を回転駆動させる。プロペラファンロータ４０が回転駆動されると、上面吸込みグリル５０ｂ、防護ネット５０ｃ、および右側面パネルに設けられる複数の開口を通じてケーシング５０内に屋外の空気が吸い込まれ、熱交換パネル３０Ａ，３０Ｂ，３０Ｃに供給される（図４の白抜き矢印Ｆａ、Ｆｂ、Ｆｃ参照）。そして、熱交換パネル３０Ａ，３０Ｂ，３０Ｃを通過した空気は、ベルマウス４５および吹出しグリル５０ｅを通じて屋外へと排出される（図４の白抜き矢印Ｆｆ参照）。
【００４６】
［空気調和装置の室外機の特徴］
（１）
本実施の形態に係る空気調和装置１の室外機３では、中央熱交換パネル３０Ａの後面熱交換部３０ａが、後面（奥行き方向Ｙに直交する面）に沿って設けられている。また、上部熱交換パネル３０Ｂが中央熱交換パネル３０Ａの後面熱交換部３０ａの上部から前方Ｙ１に向かうにつれて上方Ｚ１に傾斜するように設けられ、下部熱交換パネル３０Ｃが中央熱交換パネル３０Ａの後面熱交換部３０ａの下部から前方Ｙ１に向かうにつれて下方Ｚ２に傾斜するように設けられている。そして、プロペラファン３８により、中央熱交換パネル３０Ａの後面熱交換部３０ａ、上部熱交換パネル３０Ｂ、および下部熱交換パネル３０Ｃに空気が供給される。このため、この空気調和装置１の室外機３では、室外熱交換器３０が、従来の室外機に設けられる熱交換器の上の部分および下の部分を前方に曲げたような形態を採ることとなる。したがって、この空気調和装置１の室外機３は、熱交換面積が縮小されることなく、高さ方向にコンパクト化されている。つまり、この空気調和装置１の室外機３は、著しい熱交換能力の低下がなく、高さ方向にコンパクト化されている。
【００４７】
（２）
本実施の形態に係る空気調和装置１の室外機３では、中央熱交換パネル３０Ａにルーバ付きフィン７０が、上部熱交換パネル３０Ｂにスリットフィン８０が、下部熱交換パネル３０Ｃにフラットフィン９０が採用される。
この空気調和装置１の室外機３では、軸流ファンであるプロペラファン３８の回転軸Ｌと直交する面に中央熱交換パネル３０Ａの後面熱交換部３０ａが配置される。したがって、この空気調和装置１の室外機３では、上部熱交換パネル３０Ｂおよび下部熱交換パネル３０Ｃにおける通風量が、後面熱交換部３０ａにおける通風量に比べて小さくなる。このため、この空気調和装置１の室外機３では、上部熱交換パネル３０Ｂおよび下部熱交換パネル３０Ｃの熱交換能力は、後面熱交換部３０ａの熱交換能力よりも劣ることになる。ところが、ルーバ付きフィン７０は、通常、スリットフィン８０やフラットフィン９０などに比べ通風抵抗が大きい。このため、この空気調和装置１の室外機３では、後面熱交換部３０ａにおける通風抵抗が大きくなり、後面熱交換部３０ａの熱交換能力が向上されている。したがって、この空気調和装置１の室外機３では、熱交換パネル３０Ａ，３０Ｂ，３０Ｃ全体の熱交換能力が、従来の室外機の熱交換器の熱交換能力に近づいている。
【００４８】
また、この空気調和装置１の室外機３では、上部熱交換パネル３０Ｂが傾斜しているため、結露水がプロペラファン３８などに落下しやすくなっている。ところが、スリットフィン８０は、結露水を切り起こし部８３に沿って本体プレート８２長手方向に導く特性を有する。このため、この空気調和装置１の室外機３では、上部熱交換パネル３０Ｂにおいて生じる結露水がプロペラファン３８などに落下するおそれを抑制することができる。
【００４９】
また、この空気調和装置１の室外機３では、上部熱交換パネル３０Ｂおよび中央熱交換パネル３０Ａにおいて生じる結露水が下部熱交換パネル３０Ｃを介してドレンパンなどに導かれる。このため、この空気調和装置１の室外機３では、結露水により、下部熱交換パネル３０Ｃにおける通風量が、他の熱交換パネル３０Ａ，３０Ｂに比べて小さくおそれがある。ところが、フラットフィン９０は、ルーバ付きフィン７０やスリットフィン８０などに比べて排水性に優れる。このため、この空気調和装置１の室外機３では、下部熱交換パネル３０Ｃにおける通風量が著しく少なくなることが抑制されている。
【００５０】
（３）
本実施の形態に係る空気調和装置１の室外機３では、プロペラファンロータ４０が、前方から見た場合において中央熱交換パネル３０Ａの後面熱交換部３０ａに重なるが上部熱交換パネル３０Ｂおよび下部熱交換パネル３０Ｃには重ならない。このため、この空気調和装置１の室外機３では、後面熱交換部３０ａ、上部熱交換パネル３０Ｂ、および下部熱交換パネル３０Ｃにおける風速分布を安定させることができる。
【００５１】
（４）
本実施の形態に係る空気調和装置１の室外機３では、中央熱交換パネル３０Ａが側面熱交換部３０ｂを有する。このため、この空気調和装置１の室外機３では、熱交換面積が大きく確保されている。
（５）
本実施の形態に係る空気調和装置１の室外機３では、上部熱交換パネル３０Ｂおよび下部熱交換パネル３０Ｃが、ベルマウス４５の後端まで延びている。このため、この空気調和装置１の室外機３では、上部熱交換パネル３０Ｂおよび下部熱交換パネル３０Ｃの熱交換面積を十分に確保することができる。
【００５２】
（６）
本実施の形態に係る空気調和装置１の室外機３では、上面パネル５０ａに、上面吸込みグリルが設けられている。このため、この空気調和装置１の室外機３では、上部熱交換パネル３０Ｂにより多くの空気を供給することができる。
（７）
本実施の形態に係る空気調和装置１の室外機３では、中央熱交換パネル３０Ａ、上部熱交換パネル３０Ｂ、および下部熱交換パネル３０Ｃは、別体として製造されている。従来の室外熱交換器を、本実施の形態に示されるような室外熱交換器３０の形状にする方法としては、本実施の形態で示したように複数の熱交換パネル３０Ａ，３０Ｂ，３０Ｃを組み立てる方法や、図１２に示されるような形状の熱交換パネルを製造して破線に沿って折り曲げる方法などが考えられる。前者の方法は、後者の方法に対して放熱フィンの取付などの点において有利であるが、より多くの支持部材が必要となる点において不利になる。
【００５３】
（８）
本実施の形態に係る空気調和装置１の室外機３は、従来の二連ファン型の室外機に比べて高さ方向にコンパクト化されている。したがって、この空気調和装置１の室外機３では、プロペラファン３８が１台であっても室外熱交換器３０に一定量の空気を供給することができる。
【００５４】
［他の実施形態］
（Ａ）
先の実施の形態に係る空気調和装置１の室外機３では、中央熱交換パネル３０Ａの後面熱交換部３０ａの高さがプロペラファンロータ４０の直径よりも大きく、プロペラファンロータ４０が前方から見た場合において中央熱交換パネル３０Ａの後面熱交換部３０ａに重なるが上部熱交換パネル３０Ｂおよび下部熱交換パネル３０Ｃには重ならないように、プロペラファン３８が配置されていた。しかし、図６に示されるように、後面熱交換部１３０ａの高さをプロペラファンロータ４０の直径よりも小さくして、プロペラファンロータ４０が前方から見た場合において後面熱交換部１３０ａ、上部熱交換パネル１３０Ｂ、および下部熱交換パネル１３０Ｃの全ての重なるように、プロペラファン３８を配置してもかまわない。このような室外機３ａでは、通風速度が小さくなりがちな上部熱交換パネル１３０Ｂおよび下部熱交換パネル１３０Ｃの通風速度が高められ、ひいては上部熱交換パネル１３０Ｂおよび下部熱交換パネル１３０Ｃの熱交換能力が向上される。
【００５５】
（Ｂ）
先の実施の形態に係る空気調和装置１の室外機３では、上部熱交換パネル３０Ｂが中央熱交換パネル３０Ａの後面熱交換部３０ａの上部から前方Ｙ１に向かうにつれて上方Ｚ１に傾斜するように設けられており、下部熱交換パネル３０Ｃが中央熱交換パネル３０Ａの後面熱交換部３０ａの下部から前方Ｙ１に向かうにつれて下方Ｚ２に傾斜するように設けられていた。しかし、図７に示されるように、下部熱交換パネル３０Ｃを除去し、下部熱交換パネル３０Ｃの伝熱管９１の直管の配列方向の長さ分だけ後面熱交換部２３０ａを高くしてもよい。室外機２０３において室外熱交換器２３０がこのような形態を採る場合、ケーシング２５０は、下部熱交換パネル３０Ｃの伝熱管９１の直管の配列方向の長さ分だけ高くなる。つまり、前面パネル（吹出しグリル２５０ｅを含む）２５０ｄ、ベルマウス２４５、および防護ネット２５０ｃが、先の実施の形態に係るそれらよりも高さ方向に伸張されることになる。ただし、室外熱交換器２３０がこのような形態を採ったとしても、従来の室外機よりは高さ方向にコンパクト化されていることには変わりはない。
【００５６】
また、上記では、下部熱交換パネル３０Ｃの伝熱管９１の直管の配列方向の長さ分だけ後面熱交換部２３０ａを高くしたが、後面熱交換部２３０ａの高さは、従来の室外機より高さ方向にコンパクト化されている限り、自由に決定することができる。
（Ｃ）
先の実施の形態に係る空気調和装置１の室外機３では、上部熱交換パネル３０Ｂが中央熱交換パネル３０Ａの後面熱交換部３０ａの上部から前方Ｙ１に向かうにつれて上方Ｚ１に傾斜するように設けられており、下部熱交換パネル３０Ｃが中央熱交換パネル３０Ａの後面熱交換部３０ａの下部から前方Ｙ１に向かうにつれて下方Ｚ２に傾斜するように設けられていた。しかし、図８に示されるように、上部熱交換パネル３０Ｂを除去し、上部熱交換パネル３０Ｂの伝熱管８１の直管の配列方向の長さ分だけ後面熱交換部３３０ａを高くしてもよい。室外機３０３において室外熱交換器３３０がこのような形態を採る場合、ケーシング３５０は、下部熱交換パネル３０Ｃの伝熱管８１の直管の配列方向の長さ分だけ高くなる。つまり、前面パネル３５０ｄ、ベルマウス３４５、および防護ネット３５０ｃが、先の実施の形態に係るそれらよりも高さ方向に伸張されることになる。また、上面吸込みグリル５０ｂは不要となる。ただし、室外熱交換器３３０がこのような形態を採ったとしても、従来の室外機よりは高さ方向にコンパクト化されていることには変わりはない。
【００５７】
また、上記では、上部熱交換パネル３０Ｂの伝熱管８１の直管の配列方向の長さ分だけ後面熱交換部３３０ａを高くしたが、後面熱交換部３３０ａの高さは、従来の室外機より高さ方向にコンパクト化されている限り、自由に決定することができる。
（Ｄ）
先の実施の形態に係る空気調和装置１の室外機３では、上部熱交換パネル３０Ｂには後面から吸い込まれる空気と上面吸込みグリル５０ｂから吸い込まれる空気とが供給されていたが、後面から吸い込まれる空気のみが上部熱交換パネル３０Ｂに供給されるようにしてもよい。
【００５８】
（Ｅ）
先の実施の形態に係る空気調和装置１の室外機３では、中央熱交換パネル３０Ａの放熱フィンとしてルーバ付きファン７０が採用されていたが、これに代えて図９（Ａ１）および（Ａ２）に示されるようなワッフルフィン１００を採用してもよい。ワッフルフィン１００とは、本体プレート１０２を長手方向に沿って板厚方向へ交互に折り曲げているような放熱フィンをいう（図９（Ａ２）のｄ−ｄ断面図参照）。
【００５９】
（Ｆ）
先の実施の形態に係る空気調和装置１の室外機３では、熱交換パネル３０Ａ，３０Ｂ，３０Ｃの放熱フィンの種類（形状）を変えることによって中央熱交換パネル３０Ａの通風抵抗を大きくして中央熱交換パネル３０Ａの熱交換能力を向上させたが、これに代えて又はこれに加えて、放熱フィンの配列間隔（ピッチ）を調節することによって中央熱交換パネル３０Ａの熱交換能力を向上させるようにしてもよい。つまり、中央熱交換パネル３０Ａの放熱フィンの配列間隔を、上部熱交換パネル３０Ｂおよび下部熱交換パネル３０Ｃの放熱フィンの配列間隔よりも狭くするということである。また、中央熱交換パネル３０Ａの放熱フィンの配列間隔を、従来の室外機の熱交換器の放熱フィンの配列間隔よりも狭くすれば、従来の室外機の熱交換器よりも高い熱交換能力を実現することも可能である。
【００６０】
（Ｇ）
先の実施の形態に係る空気調和装置１の室外機３では、熱交換パネル３０Ａ，３０Ｂ，３０Ｃの放熱フィンの種類（形状）を変えることによって中央熱交換パネル３０Ａの通風抵抗を大きくして中央熱交換パネル３０Ａの熱交換能力を向上させたが、これに代えて又はこれに加えて、伝熱管７１，８１，９１の直管の配列間隔（ピッチ）を調節することによって中央熱交換パネル３０Ａの熱交換能力を向上させるようにしてもよい。つまり、中央熱交換パネル３０Ａの伝熱管７１の直管の配列間隔を、上部熱交換パネル３０Ｂおよび下部熱交換パネル３０Ｃの伝熱管８１，９１の直管の配列間隔よりも狭くするということである。また、中央熱交換パネル３０Ａの大きさが同じであれば、同時に熱交換面積を拡大させることができる。
【００６１】
（Ｈ）
先の実施の形態に係る空気調和装置１の室外機３では、熱交換パネル３０Ａ，３０Ｂ，３０Ｃの放熱フィンの種類（形状）を変えることによって中央熱交換パネル３０Ａにおける通風抵抗を大きくして中央熱交換パネル３０Ａの熱交換能力を向上させたが、これに代えて又はこれに加えて、伝熱管７１，８１，９１の列数を調節することによって中央熱交換パネル３０Ａの熱交換能力を向上させるようにしてもよい。つまり、中央熱交換パネル３０Ａにおける伝熱管７１の列数を、上部熱交換パネル３０Ｂおよび下部熱交換パネル３０Ｃの伝熱管８１，９１の列数よりも多くするということである。また、中央熱交換パネル３０Ａの伝熱管７１の列数を、従来の室外機の熱交換器の伝熱管の列数よりも多くすれば、従来の室外機の熱交換器よりも広い熱交換面積を確保することも可能である。
【００６２】
（Ｉ）
先の実施の形態に係る空気調和装置１の室外機３では、室外熱交換器３０が、中央熱交換パネル３０Ａ、上部熱交換パネル３０Ｂ、および下部熱交換パネル３０Ｃに分けられて製造されていたが、室外熱交換器３０は、図１２に示されるような一枚の熱交換パネルが破線に沿って折り曲げられることによって製造されてもかまわない。なお、上部熱交換パネル３０Ｂに相当する部分および下部熱交換パネル３０Ｃに相当する部分を折り曲げる場合には、放熱フィンを切るなどしておく必要がある。このような熱交換パネルは、室外機３への取付において、少ない支持部材の点数で支持が可能なため、製造コストをできるだけ低く抑えることが可能となる。
【００６３】
（Ｊ）
先の実施の形態に係る空気調和装置１の室外機３では、上部熱交換パネル３０Ｂが中央熱交換パネル３０Ａの後面熱交換部３０ａの上部から前方Ｙ１に向かうにつれて上方Ｚ１に傾斜するように設けられ、下部熱交換パネル３０Ｃが中央熱交換パネル３０Ａの後面熱交換部３０ａの下部から前方Ｙ１に向かうにつれて下方Ｚ２に傾斜するように設けられていた。しかし、上部熱交換パネル３０Ｂが中央熱交換パネル３０Ａの後面熱交換部３０ａの上部から水平に延びるように設けられてもよいし、下部熱交換パネル３０Ｃが中央熱交換パネル３０Ａの後面熱交換部３０ａの下部から水平に延びるように設けられてもよい。
【産業上の利用可能性】
【００６４】
本発明に係る冷凍装置の室外機は、熱交換能力を著しく低下させることなく、高さ方向にコンパクト化されているという特徴を有し、冷凍装置の室外機の運搬性向上などに寄与する。
【図面の簡単な説明】
【００６５】
【図１】本発明の実施の形態に係る空気調和装置の外観斜視図。
【図２】本発明の実施の形態に係る空気調和装置の冷媒回路の構成図。
【図３】本発明の実施の形態に係る空気調和装置の室外機の内部の様子を示す斜視図。
【図４】室外機において幅方向に直交する面であってプロペラファンの回転軸を含む面で切った室外機の断面図。
【図５】（Ａ１）本発明の実施の形態に係る中央熱交換パネルに採用されるルーバフィンの正面図、（Ａ２）本発明の実施の形態に係る中央熱交換パネルに採用されるルーバフィンのａ−ａ断面図、（Ｂ１）本発明の実施の形態に係る上部熱交換パネルに採用されるスリットフィンの正面図、（Ｂ２）本発明の実施の形態に係る上部熱交換パネルに採用されるスリットフィンのｂ−ｂ断面図、（Ｂ３）本発明の実施の形態に係る上部熱交換パネルに採用されるスリットフィンの切り起こし部の縦断面図、（Ｃ１）本発明の実施の形態に係る下部熱交換パネルに採用されるフラットフィンの正面図、（Ｃ２）本発明の実施の形態に係る下部熱交換パネルに採用されるフラットフィンのｃ−ｃ断面図。
【図６】他の実施形態（Ａ）に係る室外機において幅方向に直交する面であってプロペラファンの回転軸を含む面で切った室外機の断面図。
【図７】他の実施形態（Ｂ）に係る室外機において幅方向に直交する面であってプロペラファンの回転軸を含む面で切った室外機の断面図。
【図８】他の実施形態（Ｃ）に係る室外機において幅方向に直交する面であってプロペラファンの回転軸を含む面で切った室外機の断面図。
【図９】（Ａ１）他の実施形態（Ｅ）に係るワッフルフィンの正面図。（Ａ２）他の実施形態（Ｅ）に係るワッフルフィンのｄ−ｄ断面図
【図１０】従来の空気調和装置の室外機の外観斜視図。
【図１１】従来の空気調和装置の室外機の内部の様子を示す斜視図。
【図１２】室外熱交換器の他の製造方法に係る熱交換パネルを示す図。
【符号の説明】
【００６６】
３，３ａ，２０３，３０３      空気調和装置の室外機（冷凍装置の室外機）
３０ａ，１３０ａ，２３０ａ，３３０ａ      後面熱交換部（第１熱交換部）
３０Ｂ，１３０Ｂ，２３０Ｂ      上部熱交換パネル（第２熱交換部）
３０Ｃ，１３０Ｃ，３３０Ｃ      下部熱交換パネル（第２熱交換部）
３０ｂ      側面熱交換部（第３熱交換部）
４３，２４３，３４３      送風機構（送風部）
４０      プロペラファンロータ（軸流ファンロータ、ファンロータ）
４５，２４５，３４５      ベルマウス
５０ａ，２５０ａ，３５０ａ      天板（上面パネル）
５０ｂ      上面吸込グリル（開口部）
８０      スリットフィン（第５放熱フィン）
８２      本体プレート
８３      切り起こし部
９０      フラットフィン（第６放熱フィン）
Ｘ      幅方向
Ｙ      奥行き方向
Ｙ１      前方
Ｚ１      上方
Ｚ２      下方
【図１】
2006084051.tif 000003
【図２】
2006084051.tif 000004
【図３】
2006084051.tif 000005
【図４】
2006084051.tif 000006
【図５】
2006084051.tif 000007
【図６】
2006084051.tif 000008
【図７】
2006084051.tif 000009
【図８】
2006084051.tif 000010
【図９】
2006084051.tif 000011
【図１０】
2006084051.tif 000012
【図１１】
2006084051.tif 000013
【図１２】
2006084051.tif 000014